(57)【要約】【課題】家紋や家名、氏名を表示する表示体の貼り付け状態が目立たず、商品価値の向上が図れると共に、伸縮式の火袋の場合でも表示体が剥がれるようなことのない提灯を提供する。【解決手段】提灯１における火袋３の覆体７と同じ材質で同色のシート材を用い、このシート材に家紋や家名等を表記して表示体５を形成し、この表示体５を火袋３の覆体７に対して、火袋３の軸線を挟んで相対向する位置に貼り付ける。【選択図】図１
2006221978.tif 000002
【特許請求の範囲】
【請求項１】
提灯における火袋の覆体と同じ材質で同色のシート材を用い、このシート材に家紋や家名等を表記して表示体を形成し、この表示体を火袋の覆体に貼り付けた提灯。
【請求項２】
上記表示体が、家紋を表記した家紋表示体と、家名等を表記した家名表示体の二種類からなり、二種類の表示体を火袋の覆体に対して、火袋の軸線を挟んで相対向する位置に貼り付けた請求項１に記載の提灯。
【発明の詳細な説明】
【技術分野】
【０００１】
この発明は、各種仏事や神事で使用する提灯、更に詳しくは、内部に光源を収納する火袋に家紋や家名、氏名等を表記した提灯に関する。
【背景技術】
【０００２】
各種仏事や神事で使用する提灯には、目的に合わせていろいろな形態があるが、大別すると吊り下げ状態で使用する吊り提灯と、脚等を備えた設置状態で使用する置き提灯に分かれ、何れの提灯も内部に光源を収納する火袋が主体を構成していると共に、火袋には上下に伸縮可能となる蛇腹式と、非伸縮式がある。
【０００３】
ところで、提灯において、使用する人や送り主の要望で火袋に家紋や家名、氏名等を表記することはすでに行われている。
【０００４】
従来、提灯の火袋に家紋や家名等を表記する場合、手書きであると時間や技術を必要とするため、簡便な方法として、合成樹脂シートの表面に黒色で家紋や家名等を印刷や転写によって表示し、このシートをカッテング機械で家紋や家名等の輪郭に沿ってきり抜くことで表示体を形成し、この表示体を予め裏面に設けてある接着剤層で火袋における覆体の所定位置に貼り付けるようにしている。
【発明の開示】
【発明が解決しようとする課題】
【０００５】
ところで、上記のような表示体を取付けた提灯においては、家紋や家名等の輪郭に沿ってきり抜いた表示体は、貼り付け作業が行いにくいだけでなく、覆体と表示体を形成するシートが異質の材質であるため、光源を点灯したときでも消燈したときでも、表示体の貼り付け状態が一目で判り、体裁が悪く商品的価値が低いという問題がある。
また、覆体と表示体が異質の材質であると、両者の屈曲特性が異なり、予め裏面に設けてある接着剤層で貼り付ける構造では、特に伸縮式の火袋の場合、伸縮を繰り返すうちに表示体が剥がれるという問題がある。
【０００６】
そこで、この発明の課題は、家紋や家名、氏名を表示する表示体の貼り付け状態が目立たず、商品価値の向上が図れると共に、伸縮式の火袋の場合でも表示体が剥がれるようなことのない提灯を提供することにある。
【課題を解決するための手段】
【０００７】
上記のような課題を解決するため、請求項１の発明は、提灯における火袋の覆体と同じ材質で同色のシート材を用い、このシート材に家紋や家名等を表記して表示体を形成し、この表示体を火袋の覆体に貼り付けた構成を採用したものである。
【０００８】
請求項２の発明は、請求項１の発明において、上記表示体が、家紋を表記した家紋表示体と、家名等を表記した家名表示体の二種類からなり、二種類の表示体を火袋の覆体に対して、火袋の軸線を挟んで相対向する位置に貼り付けた構成を採用したものである。
【０００９】
ここで、シート材は、火袋の覆体と同じ材質で同色の紙や絹布からなり、その表面に家紋や家名等をコピーや印刷、転写等によって表記し、家紋や家名の外周の輪郭に沿って切断することにより表示体を形成し、この表示体を糊で覆体に貼り付ける。
【発明の効果】
【００１０】
この発明によると、提灯における火袋の覆体と同じ材質で同色のシート材に家紋や家名等を表記して表示体を形成し、この表示体を火袋の覆体に貼り付けたので、光源の点灯時及び非点灯時のいずれでも表示体の貼り付け状態が目立たず、商品価値の向上が図れる。
【００１１】
また、火袋の覆体と同じ材質のシート材を用いることにより、覆体と表示体の屈曲特性が同じになり、特に伸縮式の火袋の場合、伸縮を繰り返しても表示体が剥がれるというようなことがなくなる。
【発明を実施するための最良の形態】
【００１２】
以下、この発明の実施の形態を添付図面に基づいて説明する。
【００１３】
図１（ａ）乃至（ｃ）に示した提灯１は、脚２の上端に火袋３を設け、この火袋３の上部に提げ手４を設けた置き提灯を示し、火袋３の内部に電球等の光源が収納されていると共に、火袋３の所定位置には家紋や家名等を表記して表示体５が貼り付けられている。
【００１４】
上記火袋３は、図１の各図で示すように、上下に所定の間隔で配置された多数の骨部材６の外周面に覆体７を張設して形成され、覆体７には光を透過する和紙や絹布が用いられている。
【００１５】
上記表示体５は、取付けんとする火袋３の覆体７と同じ材質及び同色の和紙や絹布等のシート材を用い、その表面に光を遮光する黒色やその他の所望する色彩の家紋や家名等をコピーや印刷、転写等によって表記し、家紋や家名の外周の輪郭に沿ってシート材を円形や角形に切断することにより形成され、この表示体５を澱粉等の糊で覆体７に貼り付ける。      
【００１６】
表示体５の貼り付けは、表示体５の裏面に澱粉等の糊を塗布し、覆体７に重ねた状態で上から水刷毛で押さえるようにして貼り付けるようにすればよく、従来のような予めシートの裏面に設けてある接着剤層による接着に比べ、乾燥後に剥がれることのない強固な貼り付け状態が得られることになる。
【００１７】
上記表示体５は、家紋を表記した家紋表示体５ａと、家名や氏名等を表記した家名表示体５ｂの二種類からなり、二種類の表示体５ａと５ｂを火袋３の覆体７に対して、火袋３の軸線を挟んで相対向する位置に貼り付けるようにする。
【００１８】
上記火袋３は、図示の場合、上下に伸縮可能となる蛇腹式を示し、表示体５は、骨部材６の外周面に張設した後の覆体７に貼り付けてもよいし、骨部材６に張設する前の覆体７に表示体３を予め貼り付け、その後覆体７を骨部材６に張設するようにしてもよい。
【００１９】
なお、提灯１における火袋２は、図示のような上下に伸縮する蛇腹式だけでなく、非伸縮式でもよく、提灯の形式も置き提灯だけでなく吊り提灯や内部に投影用の回転筒を組み込んだものであってもよい。
【００２０】
また、図２（ａ）と（ｂ）に示すように、火袋３が光源を収納した内火袋３ａとその外側に間隔を置いて外嵌する外火袋３ｂの二重構造の提灯１の場合、表示体５は内火袋３ａに貼り付けるようにし、光源の点灯によって、表示体５に施した家紋や家名、氏名が外火袋３ｂに投影されるようにしてもよく、このように、表示体５を内火袋３ａに貼り付けると、光源を点灯しないとき外火袋３ｂによって表示体５の貼り付けが目立たなくなるという利点がある。
【００２１】
この発明の提灯１は、上記のような構成であり、家紋や家名、氏名を表記した表示体５を火袋３の覆体７に対して、火袋３の軸線を挟んで相対向する位置に貼り付けてあるので、提灯１を設置したり吊り下げることにより、火袋３の部分で家紋や家名、氏名を表示できると共に、表示体５のシートが火袋３の覆体７と同一の材質及び色彩であるので、表示体５の無地の部分が見た目に目立たなくなり、家紋や家名、氏名を直接覆体７に表記したごとくなり、提灯１の高級感が得られる。
【００２２】
また、光源を点灯したときも、表示体５の無地の部分は覆体７と同一の透光性があるので、表示体５の貼り付けが目立たないようにして家紋や家名、氏名を表示することができる。
【００２３】
さらに、表示体５のシートが火袋３の覆体７と同一の材質であるので、覆体７と表示体５の屈曲特性が等しく、澱粉糊による貼り付けによって、特に上下に伸縮する蛇腹式の火袋３の場合、折畳みと引き伸ばしを繰り返しても表示体５が剥がれるというようなことがない。
【図面の簡単な説明】
【００２４】
【図１】（ａ）は提灯の正面図、（ｂ）は提灯の背面図、（ｃ）は火袋における表示体を貼り付けた部分の拡大した横断面図
【図２】（ａ）は火袋が内外二重となる提灯の一部切り欠き正面図、（ｂ）は同背面図
【符号の説明】
【００２５】
１      提灯
２      脚
３      火袋
４      提げ手
５      表示体
６      骨部材
７      覆体
【図１】
2006221978.tif 000003
【図２】
2006221978.tif 000004